(57)【要約】【課題】  光無線伝送路が瞬断又は遮断されて誤ったクロック信号を再生してもスピーカが破損したり、ユーザにとって不快な音声を発生することを防止する。【解決手段】  キャリアセンス部１０３は光無線伝送路の瞬断又は遮断を判別するとキャリアセンスフラグＦ１をセットし、ミュート部１０８はキャリアセンスフラグＦ１がセットされるとＥＣＣ部１０７の処理後のデジタル音声信号を徐々にミュートし、ＥＣＣ部からの誤り検出フラグＦ２がセットされた時点ではミュートを完全に完了する。また、誤り検出フラグＦ２がリセットされるとミュートを徐々に解除する。【選択図】  図１
2006042210.tif 000002
【特許請求の範囲】
【請求項１】
デジタル音声信号を誤り訂正符号化して光無線で伝送する光無線伝送装置の光無線受信装置において、
前記光無線キャリアの断を検出するキャリア断検出手段と、
前記光無線で伝送された信号を受信して誤り検出及び訂正する誤り検出及び訂正手段と、
前記キャリア断検出手段により前記光無線キャリアの断が検出されたときに前記誤り検出及び訂正手段の出力をミュートするミュート手段とを、
有することを特徴とする光無線受信装置。
【請求項２】
前記ミュート手段は、前記誤り検出及び訂正手段が誤りを検出しなくなったときにミュートを解除することを特徴とする請求項１に記載の光無線受信装置。
【発明の詳細な説明】
【技術分野】
【０００１】
本発明は、デジタル映像信号とデジタル音声信号を多重化して光無線で伝送する光無線伝送装置の光無線受信装置に関する。
【背景技術】
【０００２】
デジタルＨＤ（High-Definition）映像信号とデジタル音声信号を光ファイバで伝送する従来例としては下記の特許文献１などに開示されているものがある。また、デジタルＨＤ映像信号とデジタル音声信号を光無線で伝送する従来例としては、下記の特許文献２などに開示されているものがある。また、無線伝送方式では、受信機においてビットＰＬＬ回路を用いて、送信機から受信した信号に基づいてクロック信号を再生して受信機側と送信機側のクロック信号を同期させ、この同期したクロック信号に基づいて受信信号内のデジタル映像信号とデジタル音声信号を処理することが主流である。また、送信機側で生成した信号が受信機側で正常に受信できたか否かを判定する方法としては、送信機側で送信信号中に誤り訂正符号を付加し、受信機側で誤り検出及び誤り訂正を行うことが多く用いられている。
【特許文献１】特開２０００−２０９６２２号公報（要約書）
【特許文献２】特開２００３−２３０１３５号公報（要約書）
【発明の開示】
【発明が解決しようとする課題】
【０００３】
ところで、受信機側で送信機側のクロック信号を再生するビットＰＬＬ回路は、通常、基準クロックを受信信号にフィードバックして位相を同期しながら送信機側のクロック信号を再生するので、光無線伝送路が瞬断又は遮断されると、誤ったクロック信号を生成する。このため、伝送周波数１ＧＨｚ以上のような高速の光無線方式の受信機では、瞬間的なエラーに対してもデジタル信号処理に不具合が発生し、受信音声信号に不連続点が発生すると再生信号にインパルスノイズが発生してスピーカが破損したり、ユーザにとって不快な音声を発生するという問題点がある。
【０００４】
本発明は上記従来例の問題点に鑑み、光無線伝送路が瞬断又は遮断されて誤ったクロック信号を再生してもスピーカが破損したり、ユーザにとって不快な音声を発生することを防止することができる光無線伝送装置の光無線受信装置を提供することを目的とする。
【課題を解決するための手段】
【０００５】
本発明は上記目的を達成するために、デジタル音声信号を誤り訂正符号化して光無線で伝送する光無線伝送装置の光無線受信装置において、
前記光無線キャリアの断を検出するキャリア断検出手段と、
前記光無線で伝送された信号を受信して誤り検出及び訂正する誤り検出及び訂正手段と、
前記キャリア断検出手段により前記光無線キャリアの断が検出されたときに前記誤り検出及び訂正手段の出力をミュートするミュート手段とを有する構成とした。
また、前記ミュート手段は、前記誤り検出及び訂正手段が誤りを検出しなくなったときにミュートを解除することを特徴とする。
【発明の効果】
【０００６】
本発明によれば、光無線キャリアの瞬断又は遮断を検出して誤り検出及び訂正手段の出力をミュートするので、正しく誤り検出及び訂正した音声出力の段階でミュートされ、したがって、スピーカが破損したり、ユーザにとって不快な音声を発生することを防止することができる。
【発明を実施するための最良の形態】
【０００７】
以下、図面を参照して本発明の実施の形態について説明する。図１は本発明に係る光無線受信装置の一実施の形態を示すブロック図、図２は図１のリミッタ・アンプとキャリアセンス部の処理を示す説明図、図３は図１の光無線受信装置のミュート処理を示すタイミングチャートである。
【０００８】
図１は一例として、デジタルＨＤ映像信号とデジタル音声信号を多重化して光無線で伝送する光無線伝送装置の光無線受信装置を示している。ここで、光無線伝送装置を構成する不図示の光無線送信装置側では、デジタル音声信号をあらかじめ誤り訂正符号を付加してインターリーブしたものをデジタルＨＤ映像信号、光無線用の同期信号、特殊符号などと所定のフォーマットに多重化し、このフォーマットをさらに８Ｂ１０Ｂ変換した後、パラレル−シリアル変換して１又は０の連続信号に変換し、この信号を光無線信号として送信する。
【０００９】
図１において、受光素子１０１は、光無線送信装置から送られてくる光無線信号を光電変換してリミッタ・アンプ１０２に印加する。リミッタ・アンプ１０２は受光素子１０１の出力信号を図２（ａ）において、破線で示す所定幅を超える振幅が所定の範囲内になるように減衰させるとともに、所定幅未満の振幅はそのままとし、キャリアセンス部１０３とシリアル／パラレル変換部１０４に出力する。キャリアセンス部１０３は図２（ａ）において破線で示す所定幅未満の振幅と上記所定幅より小さい閾値を比較して光無線伝送路の瞬断又は遮断を判別すると、図３（ａ）、（ｂ）に示すようにキャリアセンスフラグＦ１をセットしてミュート部１０８に出力する。
【００１０】
シリアル／パラレル変換部１０４はリミッタ・アンプ１０２の出力信号をシリアルからパラレルへ変換し、次いで映像／音声分離部１０５は１０Ｂ８Ｂ変換して光無線フォーマットから光無線用の同期信号と特殊符号などを除いてデジタルＨＤ映像信号とデジタル音声信号に分離し、デジタルＨＤ映像信号はＤ／Ａ変換部１０６Ｖに、デジタル音声信号はＥＣＣ部１０７に出力する。
【００１１】
ＥＣＣ部１０７は、入力されたデジタル音声信号を内部バッファに蓄積しながらデ・インターリーブして誤り検出及び誤り訂正を行い、処理後のデジタル音声信号を内部バッファに蓄積しながらミュート部１０８を介してＤ／Ａ変換部１０６Ａに出力するとともに、図３（ｃ）、（ｄ）に示すように、誤り訂正が不能な状態になると誤り検出フラグＦ２をセットし、誤り訂正が可能な状態になると誤り検出フラグＦ２をリセットしてミュート部１０８に出力する。
【００１２】
ここで、キャリアセンス部１０３は光無線伝送路の瞬断又は遮断を判別するとキャリアセンスフラグＦ１をセットするので、ミュート部１０８は図３（ｆ）、（ｇ）に示すように、キャリアセンスフラグＦ１がセットされるとＥＣＣ部１０７の処理後のデジタル音声信号を徐々にミュートし、ＥＣＣ部１０７からの誤り検出フラグＦ２がセットされた時点ではミュートを完全に完了する。また、誤り検出フラグＦ２がリセットされるとミュートを徐々に解除する。このため、図３（ｅ）に示すエラー区間のオーディオデータがミュートされる。
【図面の簡単な説明】
【００１３】
【図１】本発明に係る光無線受信装置の一実施の形態を示すブロック図である。
【図２】図１のリミッタ・アンプとキャリアセンス部の処理を示す説明図である。
【図３】図１の光無線受信装置のミュート処理を示すタイミングチャートである。
【符号の説明】
【００１４】
１０１  受光素子
１０２  リミッタ・アンプ
１０３  キャリアセンス部
１０４  シリアル／パラレル変換部
１０５  映像／音声分離部
１０６Ｖ、１０６Ａ  Ｄ／Ａ変換部
１０７  ＥＣＣ部
１０８  ミュート部
【図１】
2006042210.tif 000003
【図２】
2006042210.tif 000004
【図３】
2006042210.tif 000005